(57)【要約】      （修正有）【課題】入院患者が着衣する前開き型患者衣であって、心電図モニターのリード線を通すためのスリットが設けられた患者衣を提供する。【解決手段】前開き型の患者衣１において、患者衣の左胸部分に設けられた心電図モニターのリード線を通すための水平方向に横長のスリット３と、同左胸部分に設けられ上部に開口部を有するポケット２と、を備え、ポケットの開口部とスリットは平行して設けられ、かつポケットは患者衣の正面から見てスリットを覆うとともに、スリットはポケットの縦方向の中心部より上部に配置されるようにしたものである。【選択図】図１
0003235520.tif 000002
【実用新案登録請求の範囲】
【請求項１】
前開き型患者衣の左胸部分に設けられ、心電図モニターのリード線を通すための水平方向に横長のスリットと、前記患者衣の左胸部分に設けられ上部に開口部を有するポケットとを備え、前記ポケットの開口部と前記スリットは平行して設けられ、前記ポケットは、前記患者衣の正面から見て前記スリットを覆うとともに、前記スリットは、前記ポケットの縦方向の中心部より上部に配置されるようにしたことを特徴とする前開き型患者衣。
【請求項２】
前記スリットは前記ポケットの開口部の近傍に設けられていることを特徴とする請求項１記載の前開き型患者衣。
【請求項３】
前記スリットは、前記患者衣の切れ目として形成されていることを特徴とする請求項１または請求項２記載の前開き型患者衣。
【考案の詳細な説明】
【技術分野】
【０００１】  本考案は、病院において入院患者が着衣する前開き型患者衣に関するものであって、特に心電図モニターのリード線を通すためのスリットが左胸部に設けられるものである。
【背景技術】
【０００２】  一般に患者衣は、着衣のままで心電図モニター等のリード線を患者に装着するため、特に左胸部分にリード線を通すためのスリットを設けることが考えられる。しかし、スリットが患者衣の表面に開口していると、肌の一部が露出し、外観上見栄えが悪いばかりか、被服としての保温性に問題があった。一方、患者衣にポケットを設けることがあるが、物を入れるためのポケットと物を通すためのスリットとでは、相互に矛盾する機能であるため、特許文献１のように、双方を別個に設ける必要があった。
【先行技術文献】
【特許文献】
【０００３】
【特許文献１】登録実用新案第３１０３１２７号
【考案の概要】
【考案が解決しようとする課題】
【０００４】  スリットを塞ぐ方法として、別途カバーを設ける方法があるが、リード線装着時にカバーを開ける動作が必要になるとともに、縫製時にカバー専用部材と余分な作業工程が発生し、生産効率が低下するなどコスト面で問題があった。また、ポケットの内部にスリットを形成することも考えられるが、スリットの位置や形状、寸法によっては、ポケットに入れた小銭等が落下するなど、物入れとしてのポケットの機能が損なわれ、またリード線を通すための作業性が悪くスリットとしての役割を十分果たさない恐れがあった。
【課題を解決するための手段】
【０００５】  本考案は、前開き型の患者衣において、当該患者衣の左胸部分に設けられた心電図モニターのリード線を通すための水平方向に横長のスリットと、同左胸部分に設けられ上部に開口部を有するポケットを備え、当該ポケットの開口部とスリットは平行して設けられ、かつ当該ポケットは当該患者衣の正面から見てスリットを覆うとともに、スリットはポケットの縦方向の中心部より上部に配置されるようにしたものである。【０００６】  また本考案は、上記スリットが上記ポケットの開口部の近傍に設けられているようにしたものである。【０００７】  さらに本考案は、上記スリットの患者衣の切れ目として形成されるようにしたものである。
【考案の効果】
【０００８】  本考案は、スリットをポケットの開口部と平行かつポケットの中心より上部に設けたことにより、物入れとしてのポケットの機能及び心電図のリード線を通すためのスリットの機能を損なうことなく、スリットを効果的にポケットにより覆い、被服としての見栄えと保温性を同時に確保できる効果がある。なお、本考案は前開き型であるため、スリットにリード線を通したままの状態で、患者の胸部の診断が容易である。【０００９】  また本考案は、スリットを上記ポケットの開口部の近傍に設けたことにより、スリットを通してのリード線の装着が容易になるとともに、ポケット上部にまで物を入れてもスリットから物が落ちることがなく、ポケットを深さ方向に有効活用することができる効果がある。【００１０】  さらに、本考案は、スリットが患者衣の切れ目として形成されるようにしたので、外径が１ｃｍ未満である一般的な心電図のリード線を複数本容易に通す機能を確保しつつ、スリットの開口部分を最小にし、患者衣としての保温性を確保できる効果がある。
【図面の簡単な説明】
【００１１】
【図１】本考案の前開き型患者衣の正面からみた全体図である。
【図２】本考案の前開き型患者衣のスリットの開口を裏側からみた図である。
【図３】本考案の前開き型患者衣のスリットの開口を正面から見た図である。
【図４】本考案の前開き型患者衣に複数のリード線を装着した状態を示す図である。
【考案を実施するための形態】
【００１２】  図１に示すように、前開き型の患者衣１の左胸部にはポケット２（着色部）が縫い付けられており、図１の破線で示すように、当該ポケット２の裏側に相対する患者衣１にはスリット３がポケット２の上部の開口部と平行になるように設けられている。図２は当該スリット３を患者衣１の身頃を開いて裏側から観察した状態を示す。また、図３は当該患者衣１のスリット３を表側から、ポケット２の上部の開口部を介して見た図である。すなわち、スリット３は通常は正面からはポケット２に覆われていて、見ることができない位置に設けられているが、ポケット２の上部の開口部を押し開くことにより、正面から確認ができる。
【００１３】  図４に示すように、心電図のリード線４は、ポケット３の上部の開口部から、スリット３を通して患者衣１の裏側に導かれ、患者の肌に装着される。すなわち、リード線４を通した状態でも、スリット３はポケット２に覆われているため、外部から患者の肌が露出して見えることはない。なお、一般的な心電図のリード線の外径は１ｃｍ未満であるから、スリット３の寸法を、幅略８ｃｍ未満で、かつ高さが略１ｃｍ未満とすることにより、開口面積を抑えつつ複数のリード線４を無理なく通すことができる。
【００１５】  また、スリット３は、ポケット２の上部に相対する位置に配置されるので、当該ポケット２に小銭やカード等の小物を入れてもスリット３を通して落ちる心配がない。
【００１６】  なお、上記実施の形態では、スリット３の位置を単にポケット２の上部に相対する位置に配置するようにしたが、さらにスリット３をポケット２の開口部により近い位置である近傍に配置、例えばポケット２の開口部の下部１ｃｍ以内にスリット３の上部が配置されることにより、ポケット２の容量を最大限活用することが可能になるとともに、リード線４の装着が一層容易になる。
【００１７】  さらに、一般的な心電図のリード線の外径は１ｃｍ未満であるから、スリット３を単なる患者衣１の切れ目として形成したので、複数のリード線４を無理なく通すことができ、心電図モニター装着時以外のリード線４を通さない通常の状態では肌が全く露出しないようにしてもよい。
【産業上の利用可能性】）【００１８】  この考案は、患者が病院で心電図モニター管理等を受ける際に着用する患者衣として利用される。
【符号の説明】
【００１９】１  患者衣
２  ポケット
３  スリット
４  心電図のリード線
【図１】
0003235520.tif 000003
【図２】
0003235520.tif 000004
【図３】
0003235520.tif 000005
【図４】
0003235520.tif 000006